(57)【要約】【課題】第１操作ボタンをユーザーに認識させ易く配置し、使い勝手の良好なプロジェクターを提供する。【解決手段】プロジェクター１は、光源と、光変調装置と、投写レンズ３６と、外装を構成し、投写レンズ３６から投写された光が通過する投写用開口部２ａを有する外装筐体２と、１回の操作で、ミュート切替ボタンおよびオートキャリブレーションボタンとして機能する１つの第１操作ボタン４１ａと、メニューにおける項目の選択および決定を行うために、複数回操作される選択決定ボタンを含む複数の第２操作ボタン４２０と、を備え、第１操作ボタン４１ａは、複数の第２操作ボタン４２０よりも投写用開口部２ａの近くに配置される。【選択図】図１
2016012046.tif 000002
【特許請求の範囲】
【請求項１】
光源と、前記光源から射出された光を画像情報に応じて変調する光変調装置と、前記光変調装置で変調された光を投写面に投写する投写レンズと、を備えるプロジェクターであって、
当該プロジェクターの外装を構成し、前記投写レンズから投写された光が通過する投写用開口部を有する外装筐体と、
１回の操作で、当該プロジェクターの投写状態の変更および調整の少なくともいずれか一方を行うために操作される少なくとも１つの第１操作ボタンと、
メニューにおける項目の選択および決定を行うために、複数回操作される選択決定ボタンを含む複数の第２操作ボタンと、
を備え、
前記第１操作ボタンは、前記複数の第２操作ボタンよりも前記投写用開口部の近くに配置されることを特徴とするプロジェクター。
【請求項２】
請求項１に記載のプロジェクターであって、
前記外装筐体は、当該プロジェクターが据え置かれた状態で上側となる上面部を有し、
前記第１操作ボタンおよび前記複数の第２操作ボタンは、前記上面部に配置され、
前記第１操作ボタンと前記複数の第２操作ボタンとの間隔は、前記複数の第２操作ボタンにおける隣り合う同士の間隔より広いことを特徴とするプロジェクター。
【請求項３】
請求項２に記載のプロジェクターであって、
前記外装筐体は、前記投写レンズの光軸を挟む第１側面部、および前記光軸からの距離が前記第１側面部より長い第２側面部を有し、
前記第１操作ボタンは、前記上面部側から見て、前記第２側面部と前記光軸との間に配置されていることを特徴とするプロジェクター。
【請求項４】
請求項１〜請求項３のいずれか一項に記載のプロジェクターであって、
前記第１操作ボタンは、投写された画像の表示の停止と再開とを切り替えるためのミュート切替ボタンとして機能することを特徴とするプロジェクター。
【請求項５】
請求項１〜請求項４のいずれか一項に記載のプロジェクターであって、
前記投写面を撮像する撮像部と、
前記投写レンズが前記投写面に投写する較正用のパターン画像の座標と、前記撮像部が撮像した前記パターン画像の撮像画像の座標とを、前記撮像画像に基づいて対応付けるために操作されるオートキャリブレーションボタンと、
をさらに備え、
前記第１操作ボタンは、前記オートキャリブレーションボタンとして機能することを特徴とするプロジェクター。
【請求項６】
請求項１〜請求項５のいずれか一項に記載のプロジェクターであって、
前記第１操作ボタンへのユーザーの異なる操作に応じて、互いに異なる動作を実行することを特徴とするプロジェクター。
【発明の詳細な説明】
【技術分野】
【０００１】
本発明は、プロジェクターに関する。
【背景技術】
【０００２】
従来、光源から射出された光を画像情報に応じて変調し、変調した光をスクリーン等の投写面に投写するプロジェクターが知られている。また、プロジェクターの外装筐体には、複数の操作ボタンを有する入力操作部が設けられており、プロジェクターは、この入力操作部が操作されることによって、各種動作や、投写される画像の調整や画像の状態が切り替えられるように構成されている（例えば、特許文献１参照）。
【０００３】
特許文献１に記載のプロジェクター（画像表示装置）は、外装筐体の上面に設けられた入力操作部（操作スイッチ）を有している。入力操作部は、電源スイッチボタン、入力切替ボタン、メニューボタン、リサイズボタン、ＡＶ／ミュートボタン、トラッキング調整ボタン、同期調整ボタン、決定ボタン、ヘルプボタン等の操作ボタンを有している。
リサイズボタンは、投写面上に投写される投写画像の大きさを調整するボタンであり、ＡＶ／ミュートボタンは、投写画像の表示を一定色のブランク画面やユーザーロゴマークの表示に切り替えると共にスピーカーからの音声出力を一時的に遮断するための操作ボタンである。決定ボタンは、トラッキング調整ボタンおよび同期調整ボタンで調整したトラッキング、水平同期により、投写画像を表示することを決定する操作ボタンである。
【先行技術文献】
【特許文献】
【０００４】
【特許文献１】特開２０１２−８５９０号公報
【発明の概要】
【発明が解決しようとする課題】
【０００５】
しかしながら特許文献１記載のプロジェクターは、入力操作部に多数の操作ボタンが配列されていることにより、所望の操作ボタンを即時に探すのが難しいという課題がある。特に、投写状態を即時に変えたい場合に用いられる操作ボタン、例えば、プロジェクターを用いてプレゼンテーション等を行っている途中で、画像の投写を一時的に中断したい場合等に操作されるＡＶ／ミュートボタン等を直ちに操作して画像の投写を直ちに中断することが難しいという課題がある。
【課題を解決するための手段】
【０００６】
本発明は、上述の課題の少なくとも一部を解決するためになされたものであり、以下の形態または適用例として実現することが可能である。
【０００７】
［適用例１］本適用例に係るプロジェクターは、光源と、前記光源から射出された光を画像情報に応じて変調する光変調装置と、前記光変調装置で変調された光を投写面に投写する投写レンズと、を備えるプロジェクターであって、当該プロジェクターの外装を構成し、前記投写レンズから投写された光が通過する投写用開口部を有する外装筐体と、１回の操作で、当該プロジェクターの投写状態の変更および調整の少なくともいずれか一方を行うために操作される少なくとも１つの第１操作ボタンと、メニューにおける項目の選択および決定を行うために、複数回操作される選択決定ボタンを含む複数の第２操作ボタンと、を備え、前記第１操作ボタンは、前記複数の第２操作ボタンよりも前記投写用開口部の近くに配置されることを特徴とする。
【０００８】
この構成によれば、第１操作ボタンは、投写状態の変更や調整のために操作され、第２操作ボタンより投写用開口部の近く配置される。これによって、第１操作ボタンをプロジェクターのユーザーに認識させ易くすることが可能となるので、ユーザーは投写状態の変更や調整を迅速に行うことが可能となる。したがって、使い勝手の良好なプロジェクターの提供が可能となる。
【０００９】
［適用例２］上記適用例に係るプロジェクターにおいて、前記外装筐体は、当該プロジェクターが据え置かれた状態で上側となる上面部を有し、前記第１操作ボタンおよび前記複数の第２操作ボタンは、前記上面部に配置され、前記第１操作ボタンと前記複数の第２操作ボタンとの間隔は、前記複数の第２操作ボタンにおける隣り合う同士の間隔より広いことが好ましい。
【００１０】
この構成によれば、第１操作ボタンおよび第２操作ボタンは、外装筐体の上面部に配置され、第１操作ボタンは、第２操作ボタンから離間し、第２操作ボタンより投写用開口部の近く配置される。これによって、ユーザーに対し、第１操作ボタンをより明瞭に認識させることが可能となる。よって、ユーザーは、より迅速に第１操作ボタンを操作し、第１操作ボタンの操作に応じた動作や表示の切り替え等をプロジェクターに発揮させることが可能となる。
【００１１】
［適用例３］上記適用例に係るプロジェクターにおいて、前記外装筐体は、前記投写レンズの光軸を挟む第１側面部、および前記光軸からの距離が前記第１側面部より長い第２側面部を有し、前記第１操作ボタンは、前記上面部側から見て、前記第２側面部と前記光軸との間に配置されていることが好ましい。
【００１２】
この構成によれば、第１操作ボタンは、第１側面部と第２側面部との間の中央の領域に設けられることとなる。これによって、ユーザーに対し、第１操作ボタンをさらに明瞭に認識させることが可能となる。
【００１３】
［適用例４］上記適用例に係るプロジェクターにおいて、前記第１操作ボタンは、投写された画像の表示の停止と再開とを切り替えるためのミュート切替ボタンとして機能することが好ましい。
【００１４】
この構成によれば、プロジェクターのユーザーは、ミュート切替ボタンとしての第１操作ボタンを容易に認識できるので、投写された画像の表示の停止と再開とを迅速に行うことが可能となる。
【００１５】
［適用例５］上記適用例に係るプロジェクターにおいて、前記投写面を撮像する撮像部と、前記投写レンズが前記投写面に投写する較正用のパターン画像の座標と、前記撮像部が撮像した前記パターン画像の撮像画像の座標とを、前記撮像画像に基づいて対応付けるために操作されるオートキャリブレーションボタンと、をさらに備え、前記第１操作ボタンは、前記オートキャリブレーションボタンとして機能することが好ましい。
【００１６】
この構成によれば、プロジェクターのユーザーは、オートキャリブレーションボタンとしての第１操作ボタンを容易に認識できるので、プロジェクターを新たに設置する場合や、設置場所を変更した場合等に、投写レンズが投写する較正用のパターン画像の座標と、撮像部が撮像したパターン画像の撮像画像の座標とを容易に対応付けることが可能となる。これによって、操作されることによって光を発する指示具（例えば、電子ペン）を用いた画像の投写を行う場合に、投写面上における指示具の操作位置の対応付けを迅速に行うことが可能となる。
【００１７】
［適用例６］上記適用例に係るプロジェクターにおいて、前記第１操作ボタンへのユーザーの異なる操作に応じて、互いに異なる動作を実行することが好ましい。
【００１８】
この構成によれば、ユーザーは、第１操作ボタンの異なる操作で、第１操作ボタンの数より多い数の動作をプロジェクターに実行させることができる。例えば、１つの押圧式の第１操作ボタンを備え、この第１操作ボタンが押圧時間の違いでミュート切替ボタンとして機能する場合と、オートキャリブレーションボタンとして機能する場合とを有するように構成することが可能となる。これによって、より少ない数で第１操作ボタンを構成できるので、第１操作ボタンをユーザーに認識させ易くすると共に、第１操作ボタン配置の省スペース化が可能となる。
【図面の簡単な説明】
【００１９】
【図１】本実施形態のプロジェクターを投写面側から見た外観図。
【図２】本実施形態のプロジェクターを投写面に対向する側から見た外観図。
【図３】本実施形態のプロジェクターの概略構成を示すブロック図。
【図４】本実施形態の光学ユニットの模式図。
【図５】本実施形態の膨出部近傍のプロジェクターの断面図。
【発明を実施するための形態】
【００２０】
以下、本施形態に係るプロジェクターについて、図面を参照して説明する。
本実施形態のプロジェクターは、光源から射出された光を画像情報に応じて変調してスクリーン等の投写面に拡大投写する。また、本実施形態のプロジェクターは、電子ペンの指示に基づく投写が可能に構成されている。
【００２１】
〔プロジェクターの主な構成〕
図１は、本実施形態のプロジェクター１を投写面側から見た外観図である。図２は、プロジェクター１を投写面に対向する側から見た外観図である。図３は、プロジェクター１の概略構成を示すブロック図である。なお、以下では、説明の便宜上、プロジェクター１から投写される投写光の方向を＋Ｙ方向（前方向）、プロジェクター１が机上等に据え置かれた姿勢（据置き姿勢）における上側を＋Ｚ方向（上方向）、据置き姿勢において、投写面に対向する側から見たプロジェクター１の右側を＋Ｘ方向として記載する。
【００２２】
プロジェクター１は、図１〜図３に示すように、外装を構成する外装筐体２、制御部１０、光源装置３１を有する光学ユニット３、入力操作部４、複数の入力端子５、受信部６Ｆ，６Ｂ、および検出部７を備える。なお、図示は省略するが、外装筐体２の内部には、さらに、光学ユニット３等を冷却する冷却装置や、光源装置３１や制御部１０等に電力を供給する電源装置等が配置されている。
【００２３】
外装筐体２は、合成樹脂製の部材が複数組み合わされて構成されており、図１に示すように、前面部２Ｆ、上面部２Ｕ、第１側面部としての左側面部２Ｌ、第２側面部としての右側面部２Ｒ、背面部２Ｂ、および底面部２Ｔを有している。
【００２４】
前面部２Ｆには、光学ユニット３からの投写光が通過する投写用開口部２ａ、受信部６Ｆ用の開口部２ｂ、および検出部７用の開口部２ｃが形成されている。
投写用開口部２ａは、左右方向（±Ｘ方向）において中央より左方（−Ｘ方向）寄りに設けられ、開口部２ｂ，２ｃは、投写用開口部２ａの右方（＋Ｘ方向）に、開口部２ｂが開口部２ｃの上方に位置して形成されている。
【００２５】
そして、開口部２ｂ内には、受信部６Ｆ（図３参照）が配置され、この開口部２ｂは、赤外光を透過し、可視光をカットするフィルター部材２１により閉塞される。
開口部２ｃ内には、検出部７（図３参照）が配置され、この開口部２ｃは、中央に孔が形成され、赤外光を透過し、可視光をカットするフィルター部材２２により閉塞される。なお、フィルター部材２１とフィルター部材２２とを一体的に形成してもよい。
【００２６】
上面部２Ｕは、プロジェクター１の据置き姿勢において、外装筐体２の上側を形成する部位である。上面部２Ｕには、上方に膨出する膨出部２０、凹部２ｄ、入力操作部４に備えられた複数の操作ボタンが配置される複数の開口部、およびランプ蓋２３が設けられている。
膨出部２０は、投写レンズ３６の後述する前側レンズ３６１の外側に位置し、投写用開口部２ａの周縁部の一部に繋がっている。膨出部２０は、図２に示すように、後側を向く傾斜面２０Ｓを有し、前後方向の大きさが、基端側より上端側が小さく形成されている。
【００２７】
凹部２ｄは、図２に示すように、膨出部２０の後方に形成されており、平面視矩形状に形成され、下方に向かう程、断面形状が小さくなるように、前後左右の側壁が傾斜している。そして、膨出部２０側の傾斜面は、膨出部２０の傾斜面２０Ｓに沿うように形成されている。この傾斜面２０Ｓには、開口部が設けられ、受信部６Ｂ（図３参照）は、この開口部の内側に配置される。そして、傾斜面２０Ｓの開口部は、赤外光を透過し、可視光をカットするフィルター部材２４により閉塞される。
【００２８】
また、凹部２ｄの底面には、開口部が形成されており、光学ユニット３の後述する投写レンズ３６に備えられたフォーカス調整用のレバー３６４Ｌは、この開口部から露出し、凹部２ｄ内に配置される。また、レバー３６４Ｌの先端は、上面部２Ｕから飛び出さないように形成されている。
ランプ蓋２３は、上面部２Ｕの背面側の右側端部寄りに設けられており、光源装置３１が交換される際に開閉される。
【００２９】
左側面部２Ｌには、図２に示すように、外気を取り込むための吸気口２ｉが設けられている。そして、吸気口２ｉの内側には、防塵フィルター２５が配置される。
右側面部２Ｒは、詳細な図示は省略するが、外装筐体２内部の暖まった空気を外部に排出する排気口が設けられている。
【００３０】
背面部２Ｂには、複数の孔が設けられ、この孔から複数の入力端子５の先端が露出する。そして、外部の画像出力装置（図示省略）等から出力される各種形式の情報は、入力端子５を介して制御部１０に送られる。
【００３１】
底面部２Ｔには、プロジェクター１が机上等に据え置かれる際に設置面に当接する脚部２６や、天井等に天吊りされる際に治具が取り付けられる取付部（図示省略）が設けられている。
また、脚部２６は、後側の左右端部近傍にそれぞれ配置される２つの脚部２６Ｂ（図２参照）、および前側の左右中央部に配置される脚部２６Ｆ（図１参照）を有している。
【００３２】
制御部１０は、ＣＰＵ（Central Processing Unit）やＲＯＭ（Read Only Memory）、ＲＡＭ（Random Access Memory）等を備え、コンピューターとして機能するものであり、プロジェクター１の動作の制御を行う。
【００３３】
光学ユニット３は、制御部１０による制御の下、光源装置３１から射出された光束を光学的に処理して投写する。
図４は、光学ユニット３の模式図である。
光学ユニット３は、図４に示すように、光源装置３１、インテグレーター照明光学系３２、色分離光学系３３、リレー光学系３４、光学装置３５、投写レンズ３６、およびこれらの部材を光路上の所定位置に配置する光学部品用筐体３７を備える。
【００３４】
光源装置３１は、図４に示すように、超高圧水銀ランプやメタルハライドランプ等からなる放電型の光源３１１、リフレクター３１２、光透過部材としての平行化レンズ３１３およびこれらの部材を収納する光源用筐体３１４等を備える。
光源装置３１は、光源３１１から射出された光束をリフレクター３１２にて反射した後、平行化レンズ３１３によって射出方向を揃え、インテグレーター照明光学系３２に向けて射出する。
【００３５】
インテグレーター照明光学系３２は、図４に示すように、第１レンズアレイ３２１、第２レンズアレイ３２２、偏光変換素子３２３、および重畳レンズ３２４を備える。
第１レンズアレイ３２１は複数の小レンズを備え、光源装置３１からの光を複数の部分光に分割する。第２レンズアレイ３２２および重畳レンズ３２４は、第１レンズアレイ３２１からの複数の部分光を集光し、光学装置３５の後述する光変調装置３５１に重ねあわせる。偏光変換素子３２３は、偏光分離膜と位相差板とを備え、光源装置３１から射出されたランダムな偏光方向の光を、所定の方向の偏光光に揃える。
【００３６】
色分離光学系３３は、２枚のダイクロイックミラー３３１，３３２、および反射ミラー３３３を備え、インテグレーター照明光学系３２から射出された光束を赤色光（以下「Ｒ光」という）、緑色光（以下「Ｇ光」という）、青色光（以下「Ｂ光」という）の３色の色光に分離する機能を有する。
【００３７】
リレー光学系３４は、入射側レンズ３４１、リレーレンズ３４３、および反射ミラー３４２，３４４を備え、色分離光学系３３で分離されたＲ光をＲ光用の光変調装置３５１まで導く機能を有する。なお、光学ユニット３は、リレー光学系３４がＲ光を導く構成としているが、これに限らず、例えば、Ｂ光を導く構成としてもよい。
【００３８】
光学装置３５は、各色光用に設けられた光変調装置３５１（Ｒ光用の光変調装置を３５１Ｒ、Ｇ光用の光変調装置を３５１Ｇ、Ｂ光用の光変調装置を３５１Ｂとする）、および色合成光学装置としてのクロスダイクロイックプリズム３５２を備える。
各光変調装置３５１は、透過型の液晶パネル、液晶パネルの光入射側に配置された入射側偏光板、および液晶パネルの光射出側に配置された射出側偏光板を備え、各色光を画像情報に応じて変調する。
【００３９】
クロスダイクロイックプリズム３５２は、４つの直角プリズムを貼り合わせた平面視略正方形状をなし、直角プリズム同士を貼り合わせた界面には、２つの誘電体多層膜が形成されている。クロスダイクロイックプリズム３５２は、誘電体多層膜が光変調装置３５１Ｒ，３５１Ｂにて変調されたＲ光およびＢ光を反射し、光変調装置３５１Ｇにて変調されたＧ光を透過して、３色の変調光を合成する。
【００４０】
投写レンズ３６は、光軸３６Ａｘに沿って配置される複数のレンズを有して構成され、クロスダイクロイックプリズム３５２から射出された光をスクリーン上に拡大投写する。
なお、投写レンズ３６から射出された光は、前述したように、外装筐体２の左右方向（±Ｘ方向）において中央より左方（−Ｘ方向）寄りに設けられ投写用開口部２ａを通過する。すなわち、外装筐体２は、投写レンズ３６の光軸３６Ａｘを挟む左側面部２Ｌ（第１側面部）および右側面部２Ｒ（第２側面部）を有し、光軸３６Ａｘからの距離が左側面部２Ｌ（第１側面部）より右側面部２Ｒ（第２側面部）の方が長く形成されている。
【００４１】
図５は、膨出部２０近傍のプロジェクター１の断面図である。
投写レンズ３６は、図５に示すように、複数のレンズの中で最も光路後段（最も前側）に位置する前側レンズ３６１、案内筒３６２、レンズ枠３６３、およびフォーカスリング３６４等を備える。
【００４２】
前側レンズ３６１は、短焦点および広角化に寄与するレンズであり、複数のレンズの中で最も外径が大きく形成されている。また、前側レンズ３６１は、下側の端部がカットされたような形状を有し、投写レンズ３６に入射する光は、前側レンズ３６１から上方に向かって射出される。プロジェクター１は、投写レンズ３６が短焦点および広角化に寄与する前側レンズ３６１を備える構成により、投写面に近接して投写可能な近接投写型として構成されている。
【００４３】
案内筒３６２は、図５に示すように、前側レンズ３６１の周縁部を保持する保持部３６２１を有し、前側レンズ３６１の光入射側に配置される複数のレンズ（図示省略）を収納する。
レンズ枠３６３は、保持部３６２１の周縁部を覆うように形成され、保持部３６２１に固定される。また、レンズ枠３６３は、前側レンズ３６１の周縁部を覆うことにもなる。レンズ枠３６３は、前面側の一部が外装筐体２から露出し、後側には受信部６Ｂが取り付けられる。
【００４４】
フォーカスリング３６４は、筒状に形成され、外周面には、図５に示すように、上方に突出するレバー３６４Ｌが設けられている。このレバー３６４Ｌは、前述したように、外装筐体２の凹部２ｄ内、すなわち、膨出部２０の後方に配置される。そして、レバー３６４Ｌが把持されてフォーカスリング３６４が回転されると、フォーカス調整に寄与するレンズが移動してフォーカスが調整される。なお、本実施形態のプロジェクター１のズーム調整は、画像処理で画像の拡大、縮小を行う電子ズームであり、入力操作部４やプロジェクター１を遠隔操作するためのリモートコントローラー（リモコン）の操作によって行われる。
【００４５】
図１に戻って、入力操作部４は、プロジェクター１の各種設定や投写状態の変更、調整のために、ユーザーに操作される複数の操作ボタンを備え、これら複数の操作ボタンは、先端が上面部２Ｕから露出するように配置される。入力操作部４は、ユーザーに操作される操作ボタンに応じた操作信号を制御部１０に出力し、制御部１０は、操作される操作ボタンに応じた制御を行う。入力操作部４については、後で詳細に説明する。
【００４６】
入力端子５としては、外部の装置（コンピューターやビデオプレーヤー等）からの画像信号や音声信号等を入力可能な入力端子（例えば、ＨＤＭＩ（登録商標）規格に準拠した端子、ビデオ端子、オーディオ端子等）等がある。
【００４７】
受信部６Ｆ，６Ｂは、リモコンから発せられる光信号（赤外光による操作信号）を受信し、受信した光信号に応じた電気信号を制御部１０に出力する。
受信部６Ｆは、前述したように、開口部２ｂ（図１参照）内に配置され、投写レンズ３６が光を投写する側から入射する光信号、すなわち、プロジェクター１の前方から入射する光信号を受信する。
受信部６Ｂは、投写レンズ３６に取り付けられ、投写レンズ３６が光を投写する側とは反対側から入射する光信号を受信する向きで膨出部２０（図１参照）内に配置される。すなわち、受信部６Ｂは、プロジェクター１の後方から入射する光信号を受信する。
【００４８】
検出部７は、詳細な図示は省略するが、図３に示すように、撮像部７１および送信部７２を備える。
撮像部７１は、例えば、ＣＣＤ（Charge Coupled Device）やＣＭＯＳ（Complementary Metal Oxide Semiconductor）等の撮像素子（図示省略）を備え、被写体としての投写面を撮像する。そして、撮像部７１は、図３に示すように、投写面ＳＣ上で操作された指示具（例えば、電子ペン８０等）から発せられる赤外光を検出し、検出した情報を制御部１０に出力する。制御部１０は、撮像部７１の検出結果に基づいて、画像情報に電子ペン８０の軌跡が重畳された重畳画像を投写面に投写させる。
【００４９】
送信部７２は、投写面ＳＣ上で操作される電子ペン８０を制御するために、光信号（赤外光による信号）を周期的に発する。電子ペン８０は、送信部７２から発せられた光信号に同期して赤外光を発する。
【００５０】
〔入力操作部の構成〕
ここで、入力操作部４について詳細に説明する。
入力操作部４は、図１に示すように、第１操作部４１、第２操作部４２、および第３操作部４３を備える。
【００５１】
第１操作部４１は、１つの第１操作ボタン４１ａ、図示しない回路基板およびケーブル等を備え、制御部１０に接続されている。本実施形態では、この第１操作ボタン４１ａは、押圧式で構成され、投写される画像の表示の停止と再開とを切り替えるためのミュート切替ボタン、および電子ペン８０の投写面ＳＣ上における操作位置の対応付けを行うためのオートキャリブレーションボタンとしての機能を有している。具体的に、第１操作ボタン４１ａは、押圧される時間が所定時間未満の場合にミュート切替ボタンとして機能し、押圧される時間が所定時間以上の場合にオートキャリブレーションボタンとして機能する。
【００５２】
第２操作部４２は、図１に示すように、ランプ蓋２３の左方（−Ｘ方向）に配置された複数の第２操作ボタン４２０、複数の第２操作ボタン４２０が実装される回路基板、およびケーブル（いずれも図示省略）等を備え、制御部１０に接続されている。
各第２操作ボタン４２０は、押圧式で構成され、第２操作ボタン４２０としては、電源ボタン４２ａ、入力切替ボタン４２ｂ、メニューボタン４２ｃ、カーソルボタン４２ｄ、決定ボタン４２ｅ、戻るボタン４２ｆ、ヘルプボタン４２ｇがある。
【００５３】
電源ボタン４２ａは、電源のオン／オフを切り替える。入力切替ボタン４２ｂは、複数の入力端子５のうちのいずれかの入力端子５に切り替える。
メニューボタン４２ｃは、プロジェクター１の各種設定を行うためのメニューの画像の表示／非表示を切り替える。カーソルボタン４２ｄは、決定ボタン４２ｅの周囲に４つ設けられ、メニューの画像で表示された各種項目の選択等に用いられる。決定ボタン４２ｅは、カーソルボタン４２ｄで選択された項目を決定する。
メニューの画像は、図示は省略するが、例えば、トップメニュー表示領域と、情報表示領域と、が設けられている。トップメニュー表示領域には、トップメニューとして、「画質調整」や「映像」等が表示される。トップメニューの中からいずれかが選択されると、情報表示領域には、選択された項目の階層下にあるサブメニューが表示される。例えば、「画質調整」のサブメニューとして、「カラーモード」、「明るさ」、「コントラスト」等の項目が表示される。そして、これらの項目は、カーソルボタン４２ｄで選択され、決定ボタン４２ｅで決定される。このように、カーソルボタン４２ｄおよび決定ボタン４２ｅは、メニューにおける項目の選択および決定を行うために、複数回操作され、選択決定ボタンに相当する。
戻るボタン４２ｆは、一段階前の操作画面に戻るために用いられる。ヘルプボタン４２ｇは、トラブル対処方法等を示すために用いられる。
【００５４】
第３操作部４３は、図１に示すように、凹部２ｄの後方に配置されたスライド式の台形歪補正ボタン４３ａ、図示しない回路基板およびケーブル等を備え、制御部１０に接続されている。
台形歪補正ボタン４３ａは、投写された画像が左辺と右辺とで長さが異なるように台形状に歪んだ画像を補正する際に操作される。台形歪補正ボタン４３ａは、左右方向にスライド可能に構成され、スライド量に応じて補正量が変わる。なお、投写された画像が上辺と下辺とで長さが異なるように台形状に歪んだ画像を補正する際には、４つのカーソルボタン４２ｄのうちの２つのボタンが操作されて台形歪が補正される。
【００５５】
第１操作ボタン４１ａについてさらに説明する。
第１操作ボタン４１ａは、図１に示すように、複数の第２操作ボタン４２０および台形歪補正ボタン４３ａよりも投写用開口部２ａの近くに配置される。そして、第１操作ボタン４１ａは、複数の第２操作ボタン４２０との間隔、および台形歪補正ボタン４３ａとの間隔が複数の第２操作ボタン４２０における隣り合う同士の間隔より広く配置されている。
【００５６】
具体的に、第１操作ボタン４１ａは、図１に示すように、膨出部２０の右方（＋Ｘ方向）に配置される。つまり、第１操作ボタン４１ａは、上面部２Ｕ側から見て右側面部２Ｒ（第２側面部）と光軸３６Ａｘとの間の、前面部２Ｆ近傍に配置されている。外装筐体２は、光軸３６Ａｘからの距離が左側面部２Ｌ（第１側面部）より右側面部２Ｒ（第２側面部）の方が長く形成されているので、第１操作ボタン４１ａは、前面部２Ｆ近傍の左側面部２Ｌ（第１側面部）と、右側面部２Ｒ（第２側面部）との間の中央の領域に設けられることとなる。
また、第１操作ボタン４１ａは、脚部２６Ｆの略上方に位置し、操作される際に押圧されてもプロジェクター１がガタつかないような位置に配置されている。
【００５７】
そして、プロジェクター１は、第１操作ボタン４１ａが所定時間未満押圧されると、ミュート動作を行う。すなわち、プロジェクター１は、画像を投写している場合に、第１操作ボタン４１ａが所定時間未満押圧されると、投写される画像の表示を停止、具体的には黒画像などを投写する。そして、プロジェクター１は、画像の表示を停止している状態から再び第１操作ボタン４１ａが所定時間未満押圧されると、画像の表示を再開する。
【００５８】
そして、プロジェクター１は、第１操作ボタン４１ａが所定時間以上押圧されると、電子ペン８０の投写面ＳＣ上における操作位置の対応付けとなる較正処理を行う（オートキャリブレーション動作を実行する）。すなわち、第１操作ボタン４１ａが所定時間以上押圧されると、プロジェクター１は、較正用のパターン画像を投写面ＳＣに投写し、撮像部７１が投写面ＳＣに投写されたパターン画像を撮像する。そして、プロジェクター１は、撮像部７１が撮像した撮像画像に基づいて、投写面ＳＣ上に投写された画像の座標と、撮像部７１によって撮像された撮像画像の座標と、を対応付ける処理を行う。その結果、投写面ＳＣに投写される画像に対する電子ペン８０の投写面ＳＣ上における操作位置の対応付けが可能となり、プロジェクター１は、投写される画像に対して所望の位置に電子ペン８０の操作位置を重畳した重畳画像を投写面ＳＣに投写することができる。
【００５９】
このように、第１操作ボタン４１ａは、複数の第２操作ボタン４２０および台形歪補正ボタン４３ａから離間し、投写用開口部２ａの近傍に配置される。そして、プロジェクター１は、第１操作ボタン４１ａの１回の操作で、投写状態の変更（ミュート動作）や、投写状態の調整（オートキャリブレーション動作）を行う。また、プロジェクター１は、第１操作ボタン４１ａへのユーザーの異なる操作（押圧時間が異なる操作）に応じて、互いに異なる動作（ミュート動作、オートキャリブレーション動作）を実行することになる。
【００６０】
以上説明したように、本実施形態のプロジェクター１によれば、以下の効果を得ることができる。
（１）第１操作ボタン４１ａは、第２操作ボタン４２０および台形歪補正ボタン４３ａよりも投写用開口部２ａの近く配置されるので、第１操作ボタン４１ａをプロジェクター１のユーザーに認識させ易くすることが可能となる。よって、ユーザーは投写状態の変更や調整を迅速に行うことが可能となるので、使い勝手の良好なプロジェクター１の提供が可能となる。
【００６１】
（２）第１操作ボタン４１ａ、複数の第２操作ボタン４２０、および台形歪補正ボタン４３ａは、外装筐体２の上面部２Ｕに配置されている。そして、第１操作ボタン４１ａは、複数の第２操作ボタン４２０との間隔、および台形歪補正ボタン４３ａとの間隔が複数の第２操作ボタン４２０における隣り合う同士の間隔より広い位置に配置されている。これによって、ユーザーに対し、第１操作ボタン４１ａをより明瞭に認識させることが可能となる。よって、ユーザーは、より迅速に第１操作ボタン４１ａを操作し、第１操作ボタン４１ａの操作に応じた動作や表示の切り替え等をプロジェクター１に発揮させることが可能となる。
【００６２】
（３）第１操作ボタン４１ａは、前面部２Ｆ近傍の、左側面部２Ｌと右側面部２Ｒとの間の中央の領域に設けられている。これによって、ユーザーに対し、第１操作ボタン４１ａをさらに明瞭に認識させることが可能となる。
【００６３】
（４）第１操作ボタン４１ａは、ミュート切替ボタンとして機能するので、ユーザーは、投写された画像の表示の停止と再開とを迅速に行うことが可能となる。
【００６４】
（５）第１操作ボタン４１ａは、オートキャリブレーションボタンとして機能するので、ユーザーは、プロジェクター１を新たに設置する場合や、設置場所を変更した場合等に、電子ペン８０の投写面ＳＣ上における操作位置の対応付けを迅速に行うことが可能となる。
また、メニューの画像を確認しながら操作ボタンを多数回操作してオートキャリブレーションを実行させる構成に比べ、操作がわかり易いので、プロジェクター１の操作に不慣れなユーザーであっても容易にオートキャリブレーションを実行させることができる。
【００６５】
（６）ユーザーは、第１操作ボタン４１ａの異なる操作で、ミュート動作およびオートキャリブレーション動作をプロジェクターに実行させることができる。これによって、より少ない数で第１操作ボタン４１ａを構成できるので、第１操作ボタン４１ａをユーザーに認識させ易くすると共に、第１操作ボタン４１ａ、すなわち第１操作部４１配置の省スペース化が可能となる。
【００６６】
（変形例）
なお、前記実施形態は、以下のように変更してもよい。
前記実施形態の第１操作ボタン４１ａは、ミュート切替ボタンとしての機能、およびオートキャリブレーションボタンとしての機能を備えているが、ミュート切替ボタン専用の操作ボタン、あるいはオートキャリブレーションボタン専用の操作ボタンとして第１操作ボタン４１ａを構成してもよい。
【００６７】
前記実施形態の第１操作部４１は、１つの第１操作ボタン４１ａを備えて構成されているが、第１操作部４１が２つの操作ボタンを備えるように構成してもよい。例えば、第１操作部４１がミュート切替ボタン専用の第１操作ボタンと、オートキャリブレーションボタン専用の第１操作ボタンの２つを備えるように構成してもよい。
【００６８】
プロジェクター１が行う投写状態の調整として、投写された画像の台形歪の補正であってもよい。すなわち、第１操作ボタン４１ａが投写された画像の台形歪を補正するための台形歪補正ボタンの機能を有するように構成してもよい。例えば、第１操作ボタン４１ａが操作されると、撮像部７１が撮像した画像や、加速度センサー等を利用したプロジェクター１の姿勢の検出結果に基づいて、プロジェクター１が台形歪を補正した画像を投写するように構成してもよい。
【００６９】
前記実施形態のプロジェクター１は、検出部７を備えているが、検出部７を備えないプロジェクターであってもよい。この構成の場合には、オートキャリブレーションボタンは不要となる。
【００７０】
前記実施形態の第１操作ボタン４１ａは、押圧式で構成されているが、押圧式以外、例えば、スライド式であってもよく、またタッチパネルを利用したものであってもよい。
【００７１】
前記実施形態のプロジェクター１は、近接投写型として構成されているが、近接投写型以外のプロジェクター１であってもよい。
【００７２】
前記実施形態のプロジェクター１は、ズーム調整を電子ズームで行うように構成されているが、投写レンズ３６にズーム調整できるズーム調整機構を盛り込むように構成してもよい。
【００７３】
前記実施形態のプロジェクター１は、光変調装置として透過型の液晶パネルを用いているが、反射型の液晶パネルを利用したものであってもよい。また、光変調装置としてマイクロミラー型の光変調装置、例えば、ＤＭＤ（Digital Micromirror Device）等を利用したものであってもよい。
【００７４】
前記実施形態の光変調装置は、Ｒ光、Ｇ光、およびＢ光に対応する３つの光変調装置を用いるいわゆる３板方式を採用しているが、これに限らず、単板方式を採用してもよく、あるいは、２つまたは４つ以上の光変調装置を備えるプロジェクターにも適用できる。
【００７５】
光源装置３１は、放電型の光源３１１を用いたものに限らず、その他の方式の光源や発光ダイオード、レーザー等の固体光源で構成してもよい。
【符号の説明】
【００７６】
１…プロジェクター、２…外装筐体、２ａ…投写用開口部、２Ｌ…左側面部（第１側面部）、２Ｒ…右側面部（第２側面部）、２Ｕ…上面部、３…光学ユニット、４…入力操作部、１０…制御部、３１…光源装置、３６…投写レンズ、３６Ａｘ…光軸、４１…第１操作部、４１ａ…第１操作ボタン、４２…第２操作部、４２ａ…電源ボタン、７１…撮像部、８０…電子ペン、３１１…光源、３５１，３５１Ｂ，３５１Ｇ，３５１Ｒ…光変調装置、４２０…第２操作ボタン。
【図１】
2016012046.tif 000003
【図２】
2016012046.tif 000004
【図３】
2016012046.tif 000005
【図４】
2016012046.tif 000006
【図５】
2016012046.tif 000007